(57)【要約】【課題】  調節できる長さの範囲の広い鞄、特にショルダーバッグ用のベルトを提供する。【解決手段】  鞄用ベルト１は、ベルト本体２と、その両端５を固定する１対の長さ調節部材３と、この長さ調節部材３に設けられた２個の長孔８を通過する調節ベルト４とから構成される。各調節ベルト４の一端は遊端であり厚手の先端部６を有し、他端は鞄本体と連結する。調節ベルト４は一の長孔８に挿通されて隣接する長孔８から逆向きに挿通されて折れ曲がり、この折れ曲がって二重になっている箇所を止める止めリング９を備える。この鞄用ベルト１は、鞄本体と一体となって販売されてもよいが、鞄用のグッズとしてベルト単体で販売されてもよい。【選択図】  図１
0003167191.tif 000002
【実用新案登録請求の範囲】
【請求項１】
ベルト本体と、その両端を固定する１対の長さ調節部材と、それぞれの長さ調節部材に設けられた２個の長孔を通過する１対の調節ベルトとからなる鞄用ベルトであって、
各調節ベルトの一端は遊端であり厚手の先端部を有し、他端は鞄本体と連結し、
前記調節ベルトが摺動自在に一の長孔に挿通されて隣接する長孔から逆向きに挿通されて折れ曲がり、この折れ曲がって二重になっている箇所に止めリングが設けられていることを特徴とする鞄用ベルト。
【請求項２】
前記ベルト本体にはパッドが設けられていることを特徴とする請求項１に記載の鞄用ベルト。
【請求項３】
前記調節ベルトの鞄本体と連結する側の端部には連結部材が設けられ、この連結部材を介して前記調節ベルトが鞄本体と連結することを特徴とする請求項１または２のいずれかに記載の鞄用ベルト。
【請求項４】
鞄本体に複数本取り付けられることを特徴とする請求項３に記載の鞄用ベルト。
【考案の詳細な説明】
【技術分野】
【０００１】
肩から吊り下げることができる鞄に使用される鞄用ベルトであって、両端から長さの調節ができる鞄用ベルトに関する。
【背景技術】
【０００２】
ショルダーバッグタイプの鞄のベルトは通常の身長の人が歩くときに適当な長さを持っている。しかし、いろいろな身長の人がおり、また行動も多様である。走ったり、自転車に乗ったり、夜道を警戒しながら歩いたりする。そういう時はどうしてもベルトの長さを調節したくなる。身体に密着させて持とうとすれば長さを縮めたいと思うし、ゆったり持とうとすれば伸ばしたいと思う。
このような問題意識のもと、例えば実用新案登録第３１２２６２３号に記載の「鞄用肩ベルト」は、鞄をたすきがけにした状態でベルトの一方の端を引っ張ることで、身体に密着させようとするものである。
【先行技術文献】
【特許文献】
【０００３】
【特許文献１】実用新案登録第３１２２６２３号公報
【考案の概要】
【考案が解決しようとする課題】
【０００４】
しかしながら特許文献１の考案は、一方の端のみを引っ張るという左右非対称な用い方をするのでどうしても安定性を欠く。その結果、絶えず手で押さえてみたり或は肩からずれるのが気になったりする。また最初に調節ベルトを調節しても、鞄を背負って移動中に調節ベルトが徐々に伸びてしまい調節ベルトの再調整も気がかりになる。このように使用中に神経を使うことが多く、実用に供するには難点がある。
本考案はこのような問題点に対処するために、以下の２点が可能な鞄用ベルトを提案する。
１）ベルトの両端部において長さの調節ができる。
２）調節した長さを維持できる。
【課題を解決するための手段】
【０００５】
上記の目的を実現するために、請求項１に記載の考案は、
ベルト本体と、その両端を固定する１対の長さ調節部材と、それぞれの長さ調節部材に設けられた２個の長孔を通過する１対の調節ベルトとからなる鞄用ベルトであって、
各調節ベルトの一端は遊端であり厚手の先端部を有し、他端は鞄本体と連結し、
前記調節ベルトが摺動自在に一の長孔に挿通されて隣接する長孔から逆向きに挿通されて折れ曲がり、この折れ曲がって二重になっている箇所に止めリングが設けられていることを特徴とする。
「ベルト本体」とはベルトの中央部であり、ショルダーバッグのベルトとして用いられる場合は、肩に当る箇所である。
「長さ調節部材」とはメーカーによって「送り環」等と呼ばれるものであり、樹脂や金属製が多く、ベルトの長手方向と垂直に設けられ且並列する２個以上の長孔を有する。
【０００６】
これにより、本考案は次の特徴を備える。
第１に、調節ベルトの他端は遊端になっているので、調節可能な長さの範囲が広い。身長や姿勢にあわせて自在にベルトの長さが調節できる。また歩行中や自転車走行中等行動によって調節できる。更にベルトを胴体に巻く使用法では、体格にあわせて長さが調節できる。
第２に、調節した長さを保持することができる。長さ調節部材の近傍では調節ベルトは折れ曲がって二重になっているが、この箇所に止めリングを付けるので、この止めリングがストッパーの役割を果たすのである。
第３に、調節ベルトの遊端側の先端部が厚手になっているので、長さ調節部材と調節ベルトの結合は安定していて外れることはない。
第４に、ベルト本体の両側で長さの調節ができるので、どのように長さを変更しても常にベルト本体が肩にあたり使用感は良い。
【０００７】
上記の目的を実現するために、請求項２に記載の考案は、請求項１に記載の鞄用ベルトにおいて、ベルト本体にはパッドが設けられていることを特徴とする。
これにより、調節した長さのいかんによらずベルトが肩に当る部分には常にパッドがあるので、肩にかかる鞄の重みが分散し和らげられる。自転車で走行中など、このベルトを胴体に巻きつける使用法が考えられるが、この使用に際してもパッドが脇腹に当るので着用感に問題はない。
【０００８】
上記の目的を実現するために、請求項３に記載の考案は、請求項１または２に記載の鞄用ベルトにおいて、調節部材の鞄本体と連結する側の端部には連結部材が設けられ、この連結部材を介して調節ベルトが鞄本体と連結することを特徴とする。
また、請求項４に記載の考案は、請求項３に記載の鞄用ベルトにおいて、鞄本体に複数本取り付けられることを特徴とする。
つまり、鞄とは別に本考案のベルト単体でも商品として販売することを想定するわけである。
これにより例えば、鞄に元々取り付けられているベルトの他に単体のベルトも当該鞄に装着して、一つは肩から吊り下げ他方は胴体に回して使用すれば一層安定する。そのため、例えば自転車走行中、鞄がタイヤに接触して転倒したり、歩行者に接触して怪我をさせたりする事故を防止できる。
【考案の効果】
【０００９】
ベルトの長さを両側から調節できるので、長さの調節可能な範囲が広い。使用者の体格にあわせたり、長く伸ばして肩から吊り下げたり、短めにして胴体に巻きつけたり、短く縮めて手や腕に提げたりといった利用の範囲が広がる。
左右対称な構造なので使い勝手が優れている。例えば、ベルト本体にパッドを有するベルトであっても、調節後の長さのいかんにかかわらず常にパッドの位置を中央部、すなわち肩に当る箇所に維持できる。
【図面の簡単な説明】
【００１０】
【図１】本考案の鞄用ベルトの一実施形態を示す斜視図である。
【図２】本考案の鞄用ベルトを鞄本体に取り付けた状態を示す説明図および部分拡大図である。
【図３】本考案の鞄用ベルトを長く伸ばして鞄本体に取り付けた状態を示す説明図である。
【図４】本考案の鞄用ベルトを短く縮めて鞄本体に取り付けた状態を示す説明図である。
【図５】本考案の鞄用ベルトの他の使用方法を示す説明図である。
【考案を実施するための形態】
【００１１】
〔第１の実施形態〕
図１を参照しながら、本考案の鞄用ベルト１について説明する。
鞄用ベルト１は、ベルト本体２と２個の長さ調節部材３と２本の調節ベルト４とからなる。
ベルト本体２の両端部５はそれぞれ長さ調節部材３に固定されている。
各調節ベルト４は一端が遊端であり、厚みのある先端部６を備えている。また、調節ベルト４の他端は連結部材７が設けられ、この連結部材７によって鞄用ベルト１は鞄本体に着脱自在に取り付けられる。
長さ調節部材３は硬質の樹脂や金属製であり、図２の右下に示すように長手方向に垂直の長孔８が３つ設けられている。ベルト本体２の一の端部５が長孔８ａに挿入されて長孔８ｂから戻る輪状になっている。一方、１本の調節ベルト４は摺動自在に長孔８ｂに挿通され、隣接する長孔８ｃから逆向きに挿通されて折れ曲がり、この折れ曲がって二重になっている箇所に止めリング９が設けられている。
【００１２】
図２は、鞄本体１０に鞄用ベルト１を取り付けた状態を示す模式図である。図中破線の楕円内の拡大図を右下に示している。図中止めリング９から連結部材７側の先端部までの長さをＬＡで表わし、止めリング９から遊端側の先端部までの長さをＬＢで表わす。このＬＡとＬＢの長さの比を適当に変えることで調節ベルト４の長さ、さらには鞄用ベルト１全体の長さを調節できる。
【００１３】
図３は、図２の状態の調節ベルト４を連結部材７側の先端部などを適当な長さになるまで引いて、ＬＡ：ＬＢを１：０に近い比率にした状態を示す。これは調節ベルト４が最も長い状態であり、鞄をたすきがけにしたり、背の高い人が鞄を肩から吊り下げたりするのに適している。
図４は、図２の状態の調節ベルト４を遊端側の先端部などを適当な長さになるまで引いて、ＬＡ：ＬＢを０：１に近い比率にした状態を示す。これは調節ベルト４が最も短い状態であり、手さげ鞄のように手や腕に提げて使用する場合に適している。
【００１４】
このように、調節ベルトをＬＡ：ＬＢ＝１：０から０：１までの範囲内で長さを調節でき、しかも、ベルト本体２の両側に調節ベルト４が設けられているので、鞄用ベルト１の長さを調節できる範囲は非常に広い。そのため、さまざまな体格（痩せ型、肥満型、大人、子供など）の人に適し、同一の人であっても肩から吊り下げたり、たすきがけにしたり、自転車に乗ったり、胴体に巻いたり、手や腕に提げたりといった様々な使用の仕方にも楽に対応できる。
なお、図２から図４に示すように１対の調節ベルト４の長さを等しくさせれば、ベルト本体２は常に肩に当る。ベルト本体２に図示しないパッドを設けておけば、肩に当ったときの着用間が良好である。
また、調節ベルト４を折り曲げて２重になっている箇所を止めリング９に通すようにしているので、この止めリング９がストッパーの役目を果たし、調節した長さを保持できる。そのため、調節ベルト４がずれるのを気にする必要がない。
【００１５】
〔第２の実施形態〕
本考案の鞄用ベルトは、一個の鞄本体に複数本取り付けられてもかまわない。
図５は、鞄本体１０１に２本の鞄用ベルトが取り付けられ、一つは肩から吊り下げるために使用され、もう一つは胴体に巻くために使用されている。自転車に乗っているときなど、肩から１本だけ吊り下げる場合に比べて確実に鞄を保持することができるので、転倒や歩行者との接触などの事故防止に役立つ。
図５のように胴体に巻くときは、ベルト本体１０２にパッドが設けられているならば、パッドが脇腹に当たりクッションの役目を果たすので、長時間鞄を持ち歩いても疲労感を低減できる。
【００１６】
通常鞄本体には１本のベルトが一体となって１個の鞄として販売されるのが通常である。２本目のベルトは、サービスとして付加して鞄に一体に含めてもよいが、ベルトだけを単独で販売してもよい。さまざまな色彩や素材のベルトを用意しておくならば、実用品にとどまらずお洒落のアイテムとしても需要があると考えられる。
なお、複数のベルトを１個の鞄に取り付ける場合、図５のような使用に限らず２本とも肩から吊り下げるのに用いてもよい。
要は、長さの調節範囲が広い鞄用ベルトなので、さまざまな体格の人によって、多様な使い方ができるという点が大事なのである。
【００１７】
上記の実施の形態は、例示にすぎず、種々の変形例が考えられる。
例えば、ベルト本体２にパッドを設けなくてもよい。
また、ベルト本体２の端部５を長さ調節部材３の長孔８に挿通してループ状にしているが、端部を長さ調節部材に接着剤などで直接固着させてもよい。さらに、長さ調節部材３に設けられている長孔８は３個に限らず２個でも本考案を実施できる。
さらに、調節ベルト４の遊端の先端部６は、端部を適当な長さだけ折り返したうえで縫いつけて厚みを持たせてもよいが、長孔８を抜け落ちないだけの厚みのある金具などを用いてもよい。一方、鞄本体と本考案の鞄用ベルトを一体で販売するときは、調節ベルト４の鞄側の端部は連結部材７を介さず、直接鞄に縫い付けたり接着剤で固着させたり、あるいは鞄側のリングに固定したりしてもよい。
【産業上の利用可能性】
【００１８】
鞄本体と一体となってベルトの長さを自在に調節できる使い易いショルダーバッグとして、あるいは鞄に用いる補助的なグッズとして自転車通勤の人などの需要が見込まれる。
【符号の説明】
【００１９】
１  鞄用ベルト
２  ベルト本体
３  長さ調節部材
４  調節ベルト
５  ベルト本体の端部
６  調節ベルトの遊端側の先端部
７  連結部材
８（８ａ、８ｂ、８ｃ）  （３に設けられた長孔）
９  止めリング
１０  鞄本体
【図１】
0003167191.tif 000003
【図５】
0003167191.tif 000004
【図２】
0003167191.tif 000005
【図３】
0003167191.tif 000006
【図４】
0003167191.tif 000007